(57)【要約】【課題】  洗濯することで撥水効果が低下せず、再帰反射性能が低下し難いこと。【解決手段】  この再帰性反射布帛１００は、布等の基材層１と、当該基材層１の上層に設けたガラスビーズ保持層２と、ガラスビーズ保持層２により保持した多数の透明なガラスビーズ３と、前記ガラスビーズ保持層２の上層に設けた撥水層４とからなる。撥水層４は、撥水剤、浸透剤、架橋剤を所定比で配合して構成される。撥水剤には、フッ素系撥水剤を用いる。浸透剤は、界面活性剤、エーテル系混合物を用いる。浸透剤により、撥水層４がガラスビーズ保持層２に強固に付着するので、洗濯しても全体として撥水効果が維持され、再帰反射性能の低下を防止できる。【選択図】  図１
2015063017.tif 000002
【特許請求の範囲】
【請求項１】
布の基材からなる基材層と、
当該基材層の表面に形成されると共に多数のガラスビーズを表面が露出するように保持するガラスビーズ保持層と、
当該ガラスビーズ及びガラスビーズ保持層の表面に形成され、且つ、撥水剤に対して浸透剤を含ませた撥水層と、
を有することを特徴とする再帰性反射布帛。
【発明の詳細な説明】
【技術分野】
【０００１】
本発明は、ガラスビーズを多数表面に設けたオープンタイプの再帰性反射布帛に関するものである。
【背景技術】
【０００２】
従来から特許文献１に記載されているような再帰性反射布帛が知られている。この再帰性反射布帛では、透明ガラスビーズが表面に露出した所謂オープンタイプの再帰性反射布帛であって、このガラスビーズの表面にシランカップリング剤及びフッ素系撥水剤により薄膜を形成した構造である。シランカップリング剤によりガラスビーズとフッ素系撥水膜が強固な接着力で密着し、撥水膜の脱落を防止する。これにより、優れた耐久性を持たせる。
【先行技術文献】
【特許文献】
【０００３】
【特許文献１】特開平０８−３０９９２９号公報
【発明の概要】
【発明が解決しようとする課題】
【０００４】
しかしながら、従来の再帰性反射布帛では、ガラスビーズに対するフッ素系撥水剤の付着性を問題としており、反射材の実際の表面積の多くを占有する基材又はガラスビーズ保持層との密着性は考慮されていない。このため、洗濯すると撥水膜が落ちて撥水性が悪化するというという問題点があった。そこで、この発明は、洗濯しても撥水性が低下せず、再帰反射性能が低下し難い再帰性反射布帛を提供することを目的とする。
【課題を解決するための手段】
【０００５】
本発明の再帰性反射布帛は、布の基材からなる基材層と、当該基材層の表面に形成されると共に多数のガラスビーズを表面が露出するように保持するガラスビーズ保持層と、当該ガラスビーズ及びガラスビーズ保持層の表面に形成され、且つ、撥水剤に対して浸透剤を含ませた撥水層とを有することを特徴とする。
【図面の簡単な説明】
【０００６】
【図１】この発明の再帰性反射布帛の一部拡大断面を示す模式図である。
【図２】図１に示した再帰性反射布帛の平面の一部を拡大して示した模式図である。
【図３】洗濯後の再帰性反射布帛の一部拡大断面を示す模式図である。
【図４】再帰性反射布帛の表面に対する水滴の状態を示す模式図である。
【発明を実施するための形態】
【０００７】
図１は、この発明の再帰性反射布帛の一部拡大断面を示す模式図である。図２は、図１に示した再帰性反射布帛の平面の一部を拡大して示した模式図である。この再帰性反射布帛１００は、布等の基材層１と、当該基材層１の上層に設けたガラスビーズ保持層２と、ガラスビーズ保持層２により保持した多数の透明なガラスビーズ３と、前記ガラスビーズ保持層２の上層に設けた撥水層４とからなる。この再帰性反射布帛１００は、ガラスビーズの表面が露出した所謂オープンタイプのものである。
【０００８】
前記基材層１は、織物、編物、不織布等であって、ポリアミド系合成繊維、ポリエステル系合成繊維、ポリアクリロニトリル系合成繊維、ポリビニルアルコール系合成繊維、天然繊維またはこれらの混紡繊維からなる。
【０００９】
前記ガラスビーズ３は、酸化チタン、酸化バリウム、酸化カリウム、二酸化ケイ素、酸化ナトリウム、酸化亜鉛、酸化カルシウム等からなる。球径は、３０μｍ〜９０μｍとするのが好ましい。
【００１０】
前記ガラスビーズ保持層２には、ポリウレタン系接着剤、ポリエステル系接着剤、ビニル系接着剤、ポリアミド系接着剤等の公知の接着剤を用いる。
【００１１】
前記撥水層４は、撥水剤、浸透剤、架橋剤を所定比で配合して構成される。
【００１２】
前記撥水剤には、フッ素系撥水剤を用いる。フッ素系撥水剤としては、例えば、パーフルオロアルキルアクリル酸エステルを含むものを用いる。
【００１３】
前記浸透剤は、界面活性剤、エーテル系混合物を用いる。浸透剤としては、例えば以下のものを用いることができる。
イソプロピルアルコール  商品名：ダイシンＩＰＡ（デルタ化成）等
ブチルソルソルブ  商品名：テキスポートＢＧ（日華化学）等
【００１４】
前記架橋剤には、ブロックイソシアネート、メラミン樹脂混合物を用いる。架橋剤としては、例えば以下のものを用いることができる。
メラミン樹脂  商品名：ベッカミンＭ−３（住友化学）等
ブロックイソシアネート  商品名：ＮＫアシストＦＵ（日華化学）等
【００１５】
本発明の再帰性反射布帛１００は、ガラスビーズ３を散布接着した面に上記配合からなる撥水剤を塗布する。ガラスビーズ保持層２は、布材からなる基材層１の凹凸に付着されるので複雑な表面形状となる。接着剤は、前記浸透剤の作用により、ガラスビーズ保持層２や基材層１の微細な凹凸や布の繊維の中に入り込んで、フッ素系撥水剤を強固に接着させる。図２の模式図で示すように、再帰性反射布帛１００は、平面でガラスビーズ３の占有面積よりもガラスビーズ保持層２の占有面積が極めて大きい状態でガラスビーズ３が散布接着されている。上記のように、ガラスビーズ保持層２では、当該ガラスビーズ保持層２への撥水層４の接着が強固であるため、洗濯しても撥水層４が脱落しない。
【００１６】
このため、面積割合の大きいガラスビーズ保持層２で撥水層４が保持されるため、主に当該ガラスビーズ保持層２で撥水される。また、図３の模式図に示すように、洗濯によりガラスビーズ３の表面の撥水層４が一部脱落するものの（脱落部５）、このガラスビーズ３の表面に残る撥水層４も同様に水をはじく。これにより、再帰性反射布帛１００の全体として、洗濯を繰り返しても撥水効果が低下し難い。
【００１７】
また、ガラスビーズ３の表面の撥水層４の脱落を許容することで、再帰反射性能の低下を防止できる。即ち、ガラスビーズ３の表面に撥水層４が形成されると、再帰反射性能に影響を及ぼすので、ガラスビーズ３の表面に撥水層４がないほうが好ましい。その一方でガラスビーズ３の表面への水滴の付着は再帰反射性能の低下をもたらす。本発明では、ガラスビーズ３周辺のガラスビーズ保持層２への撥水層４の固着を強固とすることで、布帛全体としての撥水効果を高め、結果としてガラスビーズ３の表面に水滴が付着しないようにしている。
【００１８】
図４は、再帰性反射布帛の表面に対する水滴の状態を示す模式図である。水滴Ｗがガラスビーズ保持層２の表面で球状になり、水滴Ｗはガラスビーズ３よりも十分大きいので、ガラスビーズ３表面のみでは水滴Ｗが付着した状態を維持できず、その結果、表面で転がるようにはじかれる。これにより、水滴Ｗがガラスビーズ３の表面に残らず、再帰反射性能の低下が防止されることになる。
【００１９】
以上、この発明の再帰性反射布帛１００によれば、洗濯しても撥水効果が低下せず、再帰反射性能を低下させることがない。
【実施例１】
【００２０】
本発明の実施例として、以下の組み合わせにより再帰性反射布帛１００を製造した。
反射材：ＭＲ８４１ＳＴ  ユニチカスパークライト株式会社
撥水剤：ＮＫガ−ドＳ−０７（日華化学株式会社）
浸透剤：イソプロピルアルコール  商品名：ダイシンＩＰＡ（デルタ化成株式会社）
架橋剤：メラミン樹脂  商品名：ベッカミンＭ−３（住友化学株式会社）
【００２１】
この再帰性反射布帛１００を洗濯した結果、４０回から５０回の洗濯によっても初期の反射性能を維持できた。また、６０回の洗濯までは良好な撥水性能を維持できることが判った。
【符号の説明】
【００２２】
１００  再帰性反射布帛
１  基材層
２  ガラスビーズ保持層
３  ガラスビーズ
４  撥水層
【図１】
2015063017.tif 000003
【図２】
2015063017.tif 000004
【図３】
2015063017.tif 000005
【図４】
2015063017.tif 000006